(57)【特許請求の範囲】
【請求項１】
枠状部材に形成された凹部に面材が挿入された状態において、前記面材の端面に対向する底部分とともに前記凹部を形成し、かつ前記面材の表面若しくは裏面に対向する見付け面構成部分と、前記面材との間にバックアップ材を挿入するために用いられる治具であって、
略直方状の形態を成す基部と、
前記基部の少なくとも１つの側面に一体的に形成され、かつ少なくとも一部が前記面材と前記見付け面構成部分との間に進入可能な略直方状の進入部と
を備え、
前記進入部は、上面、下面、前面及び後面の各作用面が、前記見付け面構成部分における前記底部分から最も離隔した端縁部からの前記バックアップ材の挿入深さに相当する所定距離だけ前記基部の対応する面よりも外方に離隔しており、前記作用面のうち第１の作用面の一端部における第２の作用面と連続する第１縁端部、並びに前記第１の作用面の他端部における第３の作用面と連続する第２縁端部は、各作用面が互いに直交して連続するよう直角状を成して形成されていることを特徴とするバックアップ材挿入用治具。
【請求項２】
前記進入部は、前記第１の作用面に対向する第４の作用面の一端部における前記第２の作用面と連続する第３縁端部、並びに前記第４の作用面の他端部における前記第３の作用面と連続する第４縁端部は、湾曲状を成して形成されていることを特徴とする請求項１に記載のバックアップ材挿入用治具。
【請求項３】
前記基部は、上面、下面、前面及び後面の各面のうち前記第４の作用面に対応する第１の対応面の一端部における前記第２の作用面に対応する第２の対応面と連続する第１対応縁端部、並びに前記第１の対応面の他端部における前記第３の作用面に対応する第３の対応面と連続する第２対応縁端部が湾曲状を成して形成されており、
前記第３縁端部と前記第１対応縁端部との離間距離、並びに前記第４縁端部と前記第２対応縁端部との離間距離が、前記第４の作用面と前記第１の対応面との離間距離と等しいことを特徴とする請求項２に記載のバックアップ材挿入用治具。
【請求項４】
前記進入部は、前記基部の対向する２つの側面にそれぞれ一体的に形成されており、互いの左右幅が異なることを特徴とする請求項１〜３のいずれか１つに記載のバックアップ材挿入用治具。
【請求項５】
前記進入部は、前記第４の作用面を含む部分の一部を切り欠いて形成された窪部を備えたことを特徴とする請求項２〜４のいずれか１つに記載のバックアップ材挿入用治具。
【発明の詳細な説明】
【技術分野】
【０００１】
本発明は、バックアップ材挿入用治具に関し、より詳細には、枠状部材に形成された凹部に面材が挿入された状態において、該面材の端面に対向する底部分とともに凹部を形成し、かつ面材の表面若しくは裏面に対向する見付け面構成部分と、面材との間にバックアップ材を挿入するために用いられる治具に関するものである。
【背景技術】
【０００２】
従来、例えば建具における障子等では、上框、下框及び左右一対の縦框を四周框組みして構成された框体に、該框体に形成された矩形開口を閉塞するよう例えば複層ガラス等の面材が保持されている。このような面材の保持は、各框と面材との間にシーリング材を充填させて行われるのが一般的であるが、かかるシーリング材の充填に先立って、各框と面材との間には、各框と面材との間を埋めてシーリング材の受けとなるバックアップ材が挿入されている。このバックアップ材は、框と面材とシーリング材との３面接着を回避しつつ、シーリング材の充填幅や充填深さの調整等を目的として挿入されるもので、クッション性、耐水性、耐薬品性に優れた発泡ポリエチレン等の軟質独立発泡体が主に用いられている。
【０００３】
このようなバックアップ材を各框と面材との間に挿入させる治具として、周端面に段部が形成され、かつ自身の中心軸回りに回転可能となるよう把手に支持されたローラーを備えたものが提案されている。
【０００４】
このような治具は、面材と各框との間にバックアップ材を押し込んだ後に、ローラーの周端部の一部が面材と框との間に進入されて該ローラーが回転することでバックアップ材を各框と面材との間に挿入させてシーリング材の充填幅等を確保するようにしている（例えば、特許文献１参照）。
【先行技術文献】
【特許文献】
【０００５】
【特許文献１】実開昭６１−５２０８６号公報
【発明の概要】
【発明が解決しようとする課題】
【０００６】
ところが、上述したような治具では、ローラーを回転させてバックアップ材を挿入させるものであるため、次のような問題があった。すなわち、框体は各框を四周框組みして構成されるものであるため、入隅部分では框同士が直交しているのが一般的である。そして、ローラーは円板形状を成しているので、かかる入隅部分においては、ローラーの周端部が框の見込み面に当接して隙間を生じさせてしまい、バックアップ材の挿入を良好に行うことができなかった。
【０００７】
本発明は、上記実情に鑑みて、バックアップ材の挿入を良好に行うことができるバックアップ材挿入用治具を提供することを目的とする。
【課題を解決するための手段】
【０００８】
上記目的を達成するために、本発明に係るバックアップ材挿入用治具は、枠状部材に形成された凹部に面材が挿入された状態において、前記面材の端面に対向する底部分とともに前記凹部を形成し、かつ前記面材の表面若しくは裏面に対向する見付け面構成部分と、前記面材との間にバックアップ材を挿入するために用いられる治具であって、略直方状の形態を成す基部と、前記基部の少なくとも１つの側面に一体的に形成され、かつ少なくとも一部が前記面材と前記見付け面構成部分との間に進入可能な略直方状の進入部とを備え、前記進入部は、上面、下面、前面及び後面の各作用面が、前記見付け面構成部分における前記底部分から最も離隔した端縁部からの前記バックアップ材の挿入深さに相当する所定距離だけ前記基部の対応する面よりも外方に離隔しており、前記作用面のうち第１の作用面の一端部における第２の作用面と連続する第１縁端部、並びに前記第１の作用面の他端部における第３の作用面と連続する第２縁端部は、各作用面が互いに直交して連続するよう直角状を成して形成されていることを特徴とする。
【０００９】
この発明によれば、進入部の上面、下面、前面及び後面の各作用面が、枠状部材の見付け面構成部分における底部分から最も離隔した端縁部からのバックアップ材の挿入深さに相当する所定距離だけ基部の対応する面よりも外方に離隔しているので、見付け面構成部分の上記端縁部に基部を載置させた状態で面材と見付け面構成部分との間に進入部の一部を進入させてバックアップ材挿入用治具をスライド移動させることにより、バックアップ材を所望の挿入深さの位置に挿入させることができる。しかも、進入部の第１縁端部及び第２縁端部が直角状を成して形成されているので、これら第１縁端部及び第２縁端部のいずれか一方を入隅部分に進入させることで、かかる入隅部分におけるバックアップ材も所望の挿入深さの位置に挿入させることができる。更に、基部と進入部とは一体的に形成されているので、部品点数を最小とすることができ、治具を安価なものとすることができる。
【００１０】
また本発明は、上記バックアップ材挿入用治具において、前記進入部は、前記第１の作用面に対向する第４の作用面の一端部における前記第２の作用面と連続する第３縁端部、並びに前記第４の作用面の他端部における前記第３の作用面と連続する第４縁端部は、湾曲状を成して形成されていることを特徴とする。
【００１１】
この発明によれば、進入部の第３縁端部及び第４縁端部が湾曲状を成して形成されているので、第４の作用面をバックアップ材に接するようスライド移動させる場合に、第３縁端部及び第４縁端部がバックアップ材を傷つけてしまう虞れがない。
【００１２】
また本発明は、上記バックアップ材挿入用治具において、前記基部は、上面、下面、前面及び後面の各面のうち前記第４の作用面に対応する第１の対応面の一端部における前記第２の作用面に対応する第２の対応面と連続する第１対応縁端部、並びに前記第１の対応面の他端部における前記第３の作用面に対応する第３の対応面と連続する第２対応縁端部が湾曲状を成して形成されており、前記第３縁端部と前記第１対応縁端部との離間距離、並びに前記第４縁端部と前記第２対応縁端部との離間距離が、前記第４の作用面と前記第１の対応面との離間距離と等しいことを特徴とする。
【００１３】
この発明によれば、基部の第１対応縁端部及び第２対応縁端部が湾曲状を成しており、かつ第３縁端部と第１対応縁端部との離間距離、並びに第４縁端部と第２対応縁端部との離間距離が、第４の作用面と第１の対応面との離間距離と等しいので、基部の第１対応縁端部若しくは第２対応縁端部を枠状部材の見付け面構成部分の端縁部に接した状態で回動させることによってバックアップ材を所望の挿入深さの位置に挿入させることができる。
【００１４】
また本発明は、上記バックアップ材挿入用治具において、前記進入部は、前記基部の対向する２つの側面にそれぞれ一体的に形成されており、互いの左右幅が異なることを特徴とする。
【００１５】
この発明によれば、互いに左右幅が異なる進入部を有しているので、枠状部材の見付け面構成部分と面材との離間距離に応じて最適な進入部を択一的に選択して用いることができる。
【００１６】
また本発明は、上記バックアップ材挿入用治具において、前記進入部は、前記第４の作用面を含む部分の一部を切り欠いて形成された窪部を備えたことを特徴とする。
【００１７】
この発明によれば、窪部が第４の作用面を含む部分の一部を切り欠いて形成されているので、第４の作用面をバックアップ材に接するようにして用いる場合に、該窪部に手指を引っかける等してバックアップ材挿入用治具を容易にスライド移動等させることができる。
【発明の効果】
【００１８】
本発明によれば、枠状部材の見付け面構成部分における底部分から最も離隔した端縁部に基部を載置させた状態で面材と見付け面構成部分との間に進入部の一部を進入させてバックアップ材挿入用治具をスライド移動させることによりバックアップ材を所望の挿入深さの位置に挿入させることができ、しかも、第１縁端部及び第２縁端部のいずれか一方を入隅部分に進入させることでかかる入隅部分におけるバックアップ材も所望の挿入深さの位置に挿入させることができるので、バックアップ材の挿入を良好に行うことができるという効果を奏する。
【図面の簡単な説明】
【００１９】
【図１】図１は、本発明の実施の形態であるバックアップ材挿入用治具の斜視図である。
【図２】図２は、本発明の実施の形態であるバックアップ材挿入用治具の右側面図である。
【図３】図３は、本発明の実施の形態であるバックアップ材挿入用治具の正面図である。
【図４】図４は、図１〜図３にバックアップ材挿入用治具の適用例を示す説明図である。
【図５】図５は、図１〜図３にバックアップ材挿入用治具の適用例を示す説明図である。
【図６】図６は、図１〜図３にバックアップ材挿入用治具の適用例を示す説明図である。
【図７】図７は、図１〜図３にバックアップ材挿入用治具の適用例を示す説明図である。
【発明を実施するための形態】
【００２０】
以下に添付図面を参照して、本発明に係るバックアップ材挿入用治具の好適な実施の形態について詳細に説明する。
【００２１】
図１〜図３は、それぞれ本発明の実施の形態であるバックアップ材挿入用治具を示すものであり、図１は斜視図であり、図２は右側面図であり、図３は正面図である。ここで例示するバックアップ材挿入用治具は、例えば樹脂材や木材等の非金属材料から構成されるもので、基部１０と、右側進入部２０と、左側進入部３０とを備えて構成されている。
【００２２】
基部１０は、略直方状の形態を成すものであり、前後方向が長手方向となる部位である。この基部１０の上面１１における前面１３と連続する上前方縁端部１５ａ、並びに上面１１における後面１４と連続する上後方縁端部１５ｂは、各面が互いに直交して連続するよう直角状を成して形成されている。また、この基部１０において、下面（第１の対応面）１２における前面（第２の対応面）１３と連続する下前方縁端部（第１対応縁端部）１５ｃ、並びに下面１２における後面（第３の対応面）１４と連続する下後方縁端部（第２対応縁端部）１５ｄは、湾曲状を成して形成されている。
【００２３】
右側進入部２０は、基部１０の右側面を覆う態様で該基部１０に一体的に設けられている。この右側進入部２０は、略直方状の形態を成しており、前後寸法及び上下寸法は、基部１０よりも大きいものである。より詳細に説明すると、右側進入部２０の上面（第１の作用面）２１は、基部１０の上面１１よりも距離Ｌ１だけ上方に離隔しており、右側進入部２０の下面（第４の作用面）２２は、基部１０の下面１２よりも距離Ｌ１だけ下方に離隔している。また、右側進入部２０の前面（第２の作用面）２３は、基部１０の前面１３よりも距離Ｌ１だけ前方に離隔しており、右側進入部２０の後面（第３の作用面）２４は、基部１０の後面１４よりも距離Ｌ１だけ後方に離隔している。このように、右側進入部２０は、上面２１、下面２２、前面２３及び後面２４が基部１０の対応する面１１〜１４よりも所定距離Ｌ１だけ外方に離隔している。
【００２４】
ここで距離Ｌ１は、詳細は後述するが、適用対象となる障子において、該障子を構成する框５２（図４参照）の見付け面構成部分５２２（図４参照）の端縁部５２３ａ，５２３ｂ（図４参照）からのバックアップ材６０（図４参照）の挿入深さに相当する大きさである。また、右側進入部２０の左右幅は、適用対象となる障子における框５２の見付け面構成部分５２２と、該障子を構成する面材５１（図４参照）との間に進入可能な大きさであり、例えば５ｍｍ程度である。
【００２５】
そして、この右側進入部２０の上面２１における前面２３と連続する右側上前方縁端部（第１縁端部）２５ａ、並びに上面２１における後面２４と連続する右側上後方縁端部（第２縁端部）２５ｂは、各面が互いに直交して連続するよう直角状を成して形成されている。また、この右側進入部２０において、下面２２における前面２３と連続する右側下前方縁端部（第３縁端部）２５ｃ、並びに下面２２における後面２４と連続する右側下後方縁端部（第４縁端部）２５ｄは、湾曲状を成して形成されている。
【００２６】
この右側下前方縁端部２５ｃは、基部１０の下前方縁端部１５ｃと同心円の円弧状をなす関係にあり、互いの離間距離がＬ１である。また、右側下後方縁端部２５ｄは、基部１０の下後方縁端部１５ｄと同心円の円弧状をなす関係にあり、互いの離間距離がＬ１である。
【００２７】
また、上記右側進入部２０においては、基部１０よりも上方に突出する部分の中央領域の一部を切り欠いて右側窪部２６が形成されている。この右側窪部２６は、底部が基部１０の上面１１と同一平面上を構成しており、前部が前方に向かうに連れて漸次上方に延在する湾曲面を構成しており、更に後部が後方に向かうに連れて漸次上方に延在する湾曲面を構成している。
【００２８】
左側進入部３０は、基部１０の左側面を覆う態様で該基部１０に一体的に設けられている。この左側進入部３０は、略直方状の形態を成しており、前後寸法及び上下寸法は、基部１０よりも大きく、右側進入部２０と同じ大きさのものである。より詳細に説明すると、左側進入部３０の上面（第１の作用面）３１は、基部１０の上面１１よりも距離Ｌ１だけ上方に離隔しており、左側進入部３０の下面（第４の作用面）３２は、基部１０の下面１２よりも距離Ｌ１だけ下方に離隔している。また、左側進入部３０の前面（第２の作用面）３３は、基部１０の前面１３よりも距離Ｌ１だけ前方に離隔しており、左側進入部３０の後面（第３の作用面）３４は、基部１０の後面１４よりも距離Ｌ１だけ後方に離隔している。このように左側進入部３０は、上面３１、下面３２、前面３３及び後面３４が基部１０の対応する面１１〜１４よりも所定距離Ｌ１だけ外方に離隔している。
【００２９】
上記左側進入部３０の左右幅は、適用対象となる障子における框５２の見付け面構成部分５２２と、該障子を構成する面材５１との間に進入可能な大きさであり、右側進入部２０の左右幅よりも大きいもので、例えば７〜１０ｍｍ程度である。
【００３０】
そして、この左側進入部３０の上面３１における前面３３と連続する左側上前方縁端部（第１縁端部）３５ａ、並びに上面３１における後面３４と連続する左側上後方縁端部（第２縁端部）３５ｂは、各面が互いに直交して連続するよう直角状を成して形成されている。また、この左側進入部３０において、下面３２における前面３３と連続する左側下前方縁端部（第３縁端部）３５ｃ、並びに下面３２における後面３４と連続する左側下後方縁端部（第４縁端部）３５ｄは、湾曲状を成して形成されている。
【００３１】
この左側下前方縁端部３５ｃは、基部１０の下前方縁端部１５ｃと同心円の円弧状をなす関係にあり、互いの離間距離がＬ１である。また、左側下後方縁端部３５ｄは、基部１０の下後方縁端部１５ｄと同心円の円弧状をなす関係にあり、互いの離間距離がＬ１である。
【００３２】
また、上記左側進入部３０においては、基部１０よりも上方に突出する部分の中央領域の一部を切り欠いて左側窪部３６が形成されている。この左側窪部３６は、底部が基部１０の上面１１と同一平面上を構成しており、前部が前方に向かうに連れて漸次上方に延在する湾曲面を構成しており、更に後部が後方に向かうに連れて漸次上方に延在する湾曲面を構成している。
【００３３】
次に、上述したような構成を有するバックアップ材挿入用治具の適用例について説明する。ここでは、建具における障子の製造過程を適用例として説明する。
【００３４】
障子は、上框、下框及び左右一対の縦框を四周框組みして構成された框体に複層ガラス等の面材が保持されて構成される周知のものである。そして、そのような障子の製造過程において、図４に示すように、框体５０により形成される矩形開口５０ａを閉塞するよう框体５０に面材５１が配置されると、框体５０を構成する下框（枠状部材）５２の凹部５２ａに、面材５１が挿入される。
【００３５】
下框５２の凹部５２ａは、底部分５２１と見付け面構成部分５２２とにより形成されている。底部分５２１は、面材５１の端面５１ａに対向する部分である。この底部分５２１の上面にセッティングブロック５３を介して面材５１が設置される。
【００３６】
見付け面構成部分５２２は、２つ設けられており、第１見付け面構成部分５２２ａと第２見付け面構成部分５２２ｂとを有している。第１見付け面構成部分５２２ａは、底部分５２１における下框５２の見込み方向の一端部に連続しており、面材５１の表面５１ｂに対向する部分である。この第１見付け面構成部分５２２ａは、面材５１の表面５１ｂ側における下框５２の見付け面を構成している。第２見付け面構成部分５２２ｂは、底部分５２１における下框５２の見込み方向の他端部に連続しており、面材５１の裏面５１ｃに対向する部分である。この第２見付け面構成部分５２２ｂは、面材５１の裏面５１ｃ側における下框５２の見付け面を構成している。
【００３７】
このような見付け面構成部分５２２において、第１見付け面構成部分５２２ａにおける底部分５２１から最も離隔した端縁部５２３ａと、第２見付け面構成部分５２２ｂにおける底部分５２１から最も離隔した端縁部５２３ｂとは、面材５１が介在した状態で互いに対向している。また、第１見付け面構成部分５２２ａと面材５１との間、並びに第２見付け面構成部分５２２ｂと面材５１との間には隙間Ｓが形成されている。
【００３８】
尚、図４では、下框５２に面材５１が設置される場合のみを示しているが、框体５０の他の構成要素（上框、縦框）に面材５１が設置される場合にも、各構成要素の凹部にセッティングブロックを介して面材５１が挿入される。
【００３９】
このようにして面材５１が設置された下框５２においては、見付け面構成部分５２２（第１見付け面構成部分５２２ａ及び第２見付け面構成部分５２２ｂ）と面材５１との間の隙間Ｓにシーリング材の充填に先立ってバックアップ材６０を挿入させることとなる。
【００４０】
このバックアップ材６０の挿入については、面材５１と下框５２の見付け面構成部分５２２との隙間Ｓにバックアップ材６０を進入させた後に、バックアップ材挿入用治具の左側進入部３０の下部を該隙間Ｓに進入させた状態で基部１０を第２見付け面構成部分５２２ｂ（見付け面構成部分５２２）の端縁部５２３ｂに載置させる。
【００４１】
そして、図５に示すように、バックアップ材挿入用治具を下框５２の長手方向に沿ってスライド移動させることで、基部１０の下面１２と左側進入部３０の下面３２とは距離Ｌ１だけ離隔していることからバックアップ材６０を第２見付け面構成部分５２２ｂ（見付け面構成部分５２２）の端縁部５２３ｂよりも距離Ｌ１の分だけ挿入させることができ、下框５２の第２見付け面構成部分５２２ｂの端縁部５２３ｂからの挿入深さを所望の大きさに確保することができる。これにより、シーリング材の充填深さ及び充填幅を十分に確保することができる。このとき、バックアップ材挿入用治具の左側下前方縁端部３５ｃ及び左側下後方縁端部３５ｄは、湾曲状を成していることから、これら縁端部３５ｃ，３５ｄでバックアップ材６０を傷つけてしまう虞れがなく、バックアップ材挿入用治具を良好にスライド移動させることができる。しかも、左側進入部３０には左側窪部３６が形成されているので、かかる左側窪部３６に手指を引っかけて容易にバックアップ材挿入用治具をスライド移動させることができる。
【００４２】
また、上記バックアップ材挿入用治具においては、下前方縁端部１５ｃと左側下前方縁端部３５ｃとが同心円の円弧状をなす関係にあって互いの離間距離がＬ１であるので、図６に示すように、バックアップ材挿入用治具を基部１０の下前方縁端部１５ｃを第２見付け面構成部分５２２ｂの端縁部５２３ｂに接した状態で回動させながらバックアップ材６０を隙間Ｓに挿入させても良い。この場合でも、バックアップ材６０を第２見付け面構成部分５２２ｂの端縁部５２３ｂよりも距離Ｌ１の分だけ挿入させることができ、下框５２の第２見付け面構成部分５２２の端縁部５２３ｂからの挿入深さを所望の大きさに確保することができる。
【００４３】
更に、上記バックアップ材挿入用治具においては、左側上前方縁端部３５ａ及び左側上後方縁端部３５ｂが直角状を成していることから、図７に示すように、基部１０の上面１１を下框５２の第２見付け面構成部分５２２ｂの端縁部５２３ｂに載置させて基部１０の前面１３を縦框５４に当接させることで、左側上前方縁端部３５ａが下框５２に進入させたバックアップ材６０と、縦框５４に進入させたバックアップ材６１とが連結する入隅部分に進入してかかる部分を所定の距離Ｌ１の深さに挿入させることができる。
【００４４】
尚、この適用例については、左側進入部３０を隙間Ｓに進入させた場合について説明したが、右側進入部２０を隙間Ｓに進入させた場合も同様の方法でバックアップ材６０等を挿入させることができる。
【００４５】
以上説明したように、本実施の形態であるバックアップ材挿入用治具によれば、基部１０を下框５２の見付け面構成部分５２２の端縁部５２３ａ，５２３ｂに載置させた状態でスライド移動、あるいは回動させることで見付け面構成部分５２２と面材５１との隙間Ｓに進入させたバックアップ材６０を所望の挿入深さの位置に挿入させることができる。しかも、直角状を成す縁端部３５ａ，３５ｂを用いて入隅部分も所望の挿入深さの位置に挿入させることができる。よって、バックアップ材６０の挿入を良好に行うことができる。
【００４６】
上記バックアップ材挿入用治具によれば、基部１０、右側進入部２０及び左側進入部３０が一体的に形成されているので、部品点数を最小にすることができ、安価なものとすることができる。
【００４７】
以上、本発明の好適な実施の形態について説明したが、本発明はこれに限定されるものではなく種々の変更行うことができる。
【００４８】
上述した実施の形態では、バックアップ材挿入用治具が右側進入部２０と左側進入部３０とを有していたが、本発明においては、進入部は２つある必要はなく、１つであっても良い。
【００４９】
上述した実施の形態では、バックアップ材挿入用治具における基部１０、右側進入部２０及び左側進入部３０の各面１１等は、平滑な面であったが、本発明においては、バックアップ材挿入用治具を構成する基部及び進入部の各面は、平滑である必要がなく、適宜溝等が設けられて微小な凹凸が形成されていても構わない。
【００５０】
上述した実施の形態では、右側進入部２０及び左側進入部３０の右側下前方縁端部２５ｃ及び左側下前方縁端部３５ｃ、並びに右側下後方縁端部２５ｄ及び左側下後方縁端部３５ｄは、それぞれ湾曲状を成して形成されていたが、本発明においては、これら縁端部には、傾斜面を有するものであっても良い。
【００５１】
上述した実施の形態では、バックアップ材挿入用治具の適用例として障子を例示したが、本発明においては、障子に限られず、いわゆる嵌め殺し窓と称される建具であっても良い。この嵌め殺し窓を適用例とする場合、窓枠が枠状体となる。
【符号の説明】
【００５２】
１０  基部、１１  上面、１２  下面、１３  前面、１４  後面、１５ａ  上前方縁端部、１５ｂ  上後方縁端部、１５ｃ  下前方縁端部、１５ｄ  下後方縁端部、２０  右側進入部、２１  上面（第１の作用面）、２２  下面（第４の作用面）、２３  前面（第２の作用面）、２４  後面（第３の作用面）、２５ａ  右側上前方縁端部（第１縁端部）、２５ｂ  右側上後方縁端部（第２縁端部）、２５ｃ  右側下前方縁端部（第３縁端部）、２５ｄ  右側下後方縁端部（第４縁端部）、２６  右側窪部、３０  左側進入部、３１  上面（第１の作用面）、３２  下面（第４の作用面）、３３  前面（第２の作用面）、３４  後面（第３の作用面）、３５ａ  左側上前方縁端部（第１縁端部）、３５ｂ  左側上後方縁端部（第２縁端部）、３５ｃ  左側下前方縁端部（第３縁端部）、３５ｄ  左側下後方縁端部（第４縁端部）、３６  左側窪部、５０  框体、５０ａ  矩形開口、５１  面材、５２  下框（枠状部材）、５２ａ  凹部、５２１  底部分、５２２  見付け面構成部分、５２３ａ，５２３ｂ  端縁部、５３  セッティングブロック、６０  バックアップ材、Ｓ  隙間
【図１】
0006362489.tif 000002
【図２】
0006362489.tif 000003
【図３】
0006362489.tif 000004
【図４】
0006362489.tif 000005
【図５】
0006362489.tif 000006
【図６】
0006362489.tif 000007
【図７】
0006362489.tif 000008